(57)【要約】【課題】掃除中にモップ装着具から袋状のモップ房を外れにくくする。【解決手段】モップ金具であって、袋状のモップ房が挿脱可能に装着され、前フレームと、後フレームと、前記前フレーム及び前記後フレームを繋ぐ位置に形成された一対の側フレームとを備えたループ状の枠体と、前記枠体の略中央に形成され、前記前フレーム及び前記後フレームを繋ぐ位置に形成される支持板と、前記支持板に支持され、ハンドルを取り付けるための取り付け金具ユニットと、前記一対の側フレームを繋ぐ位置に形成され、前記前フレームとの間に隙間を設けるように配設された長尺の重心調整板と、を有し、前記支持板の前記前フレーム側の端部を支持板前端部、前記支持板の前記後フレーム側の端部を支持板後端部としたとき、前記重心調整板は、前記支持板の前記支持板前端部及び前記支持板後端部の中点よりも、前記支持板後端部に近接した位置に設けられていることを特徴とするモップ金具。【選択図】図１
2018183502.tif 000002
【特許請求の範囲】
【請求項１】
モップ金具であって、
袋状のモップ房が挿脱可能に装着され、前フレームと、後フレームと、前記前フレーム及び前記後フレームを繋ぐ位置に形成された一対の側フレームとを備えたループ状の枠体と、
前記枠体の略中央に形成され、前記前フレーム及び前記後フレームを繋ぐ位置に形成される支持板と、
前記支持板に支持され、ハンドルを取り付けるための取り付け金具ユニットと、
前記一対の側フレームを繋ぐ位置に形成され、前記前フレームとの間に隙間を設けるように配設された長尺の重心調整板と、
を有し、
前記支持板の前記前フレーム側の端部を支持板前端部、前記支持板の前記後フレーム側の端部を支持板後端部としたとき、
前記重心調整板は、前記支持板の前記支持板前端部及び前記支持板後端部の中点よりも、前記支持板後端部に近接した位置に設けられていることを特徴とするモップ金具。
【請求項２】
前記重心調整板の前記前フレーム側の端部を重心調整板前端部、前記重心調整板の前記後フレーム側の端部を重心調整板後端部と定義したとき、
前記重心調整板前端部は、前記支持板の前記中点よりも前記支持板後端部に近接しており、
前記重心調整板後端部は、前記支持板後端部と面一となる位置に設けられていることを特徴とする請求項１に記載のモップ金具。
【請求項３】
前記取り付け金具ユニットは、
前記支持板に両端部が固定されたコの字状の第１の取り付け金具と、
前記第１の取り付け金具に対して、前記重心調整板の長尺方向周りに回動可能に取り付けられた第２の取り付け金具と、
ハンドルが着脱可能に装着されるジョイント管であって、前記第２の取り付け金具に対して、前記枠体の左右方向に回動可能に支持されたジョイント管と、
を有することを特徴とする請求項１又は２に記載のモップ金具。
【請求項４】
前記第１の取り付け金具には、前記重心調整板の長尺方向に並ぶ一対の突起部が設けられており、
前記第２の取り付け金具は、前記一対の突起部の間に支持されていることを特徴とする請求項３に記載のモップ金具。
【請求項５】
前記重心調整板は、前記支持板の裏面に固定されており、
前記第１の取り付け金具は、前記支持板及び前記重心調整板を貫通する締結部材によって、固定されていることを特徴とする請求項１乃至４のうちいずれか一つに記載のモップ金具。
【請求項６】
請求項１又は２に記載のモップ金具と、
ハンドルと、
前記モップ金具に着脱可能に装着される袋状のモップ房と、
を有することを特徴とする清掃具。
【発明の詳細な説明】
【技術分野】
【０００１】
本発明は、例えば床などの清掃を行うための清掃具に使用されるモップ金具に関するものである。
【背景技術】
【０００２】
床等の清掃具として、袋状のモップ房が着脱可能に装着されるモップ装着具を備えた清掃具が知られている。図８は、従来の清掃具の一部における斜視図である。ここで、清掃具のハンドルが延びる方向をハンドル長手方向、モップ装着具の短尺方向をモップ前後方向、モップ装着具の長手方向をモップ幅方向と定義する。
【０００３】
同図において、清掃具１００は、ハンドル１０１と、ジョイント管１０２と、柱状取り付け金具１０３と、支持棒１０４と、モップ装着具１０５とを含む。ジョイント管１０２の内径は、ハンドル１０１の外径よりも僅かに大きく形成されており、ジョイント管１０２の管内にハンドル１０１が挿入されている。ジョイント管１０２は、ハンドル１０１に対してリベット１０６により固定されている。
【０００４】
ジョイント管１０２の先端には、一対の腕部１０２ａが形成されており、この一対の腕部１０２ａは、ハンドル長手方向に対して直交する方向において互いに対向している。柱状取り付け金具１０３は、一対の腕部１０２ａの間に配置されるとともに、一対の腕部１０２ａを繋ぐ位置に配設された回転軸部１０２ｂに対して、回転可能に支持されている。
【０００５】
モップ装着具１０５の略中央には、前端から後端に向かって末広がりとなる切欠形状部１０５ａが形成されている。切欠形状部１０５ａには、モップ幅方向に延びる支持棒１０４が架設されている。この支持棒１０４には、柱状取り付け金具１０３が回転可能に支持されている。
【先行技術文献】
【特許文献】
【０００６】
【特許文献１】登録実用新案第２６００３９３号公報
【発明の概要】
【発明が解決しようとする課題】
【０００７】
上述の清掃具１００では、モップ装着具１０５に袋状のモップ房を装着して、掃除を行うと、袋状のモップ房がモップ装着具１０５から容易に外れてしまう問題があった。また、モップ装着具１０５を床面に押し付けた状態で、ハンドル１０１をハンドル長手方向周りに回すと、ジョイント管１０２の腕部１０２ａがモップ装着具１０５の切欠形状部１０５ａに当接して、回転不能となる問題があった。
【０００８】
そこで、本願発明は、掃除中にモップ装着具から袋状のモップ房を外れにくくすることを第１の目的とする。また、本願発明は、モップ金具を床面に押し付けた状態で、ハンドルを３６０度回転可能とすることを第２の目的とする。
【課題を解決するための手段】
【０００９】
上記課題を解決するために、本願発明は、（１）モップ金具であって、袋状のモップ房が挿脱可能に装着され、前フレームと、後フレームと、前記前フレーム及び前記後フレームを繋ぐ位置に形成された一対の側フレームとを備えたループ状の枠体と、前記枠体の略中央に形成され、前記前フレーム及び前記後フレームを繋ぐ位置に形成される支持板と、前記支持板に支持され、ハンドルを取り付けるための取り付け金具ユニットと、前記一対の側フレームを繋ぐ位置に形成され、前記前フレームとの間に隙間を設けるように配設された長尺の重心調整板と、を有し、前記支持板の前記前フレーム側の端部を支持板前端部、前記支持板の前記後フレーム側の端部を支持板後端部としたとき、前記重心調整板は、前記支持板の前記支持板前端部及び前記支持板後端部の中点よりも、前記支持板後端部に近接した位置に設けられていることを特徴とする。
【００１０】
（２）上記（１）の構成において、前記重心調整板の前記前フレーム側の端部を重心調整板前端部、前記重心調整板の前記後フレーム側の端部を重心調整板後端部と定義したとき、前記重心調整板前端部は、前記支持板の前記中点よりも前記支持板後端部に近接しており、前記重心調整板後端部は、前記支持板後端部と面一となる位置に設けることが好ましい。
【００１１】
（３）上記（１）又は（２）の構成において、前記取り付け金具ユニットは、前記支持板に両端部が固定されたコの字状の第１の取り付け金具と、前記第１の取り付け金具に対して、前記重心調整板の長尺方向周りに回動可能に取り付けられた第２の取り付け金具と、ハンドルが着脱可能に装着されるジョイント管であって、前記第２の取り付け金具に対して、前記枠体の左右方向に回動可能に支持されたジョイント管と、を有するように構成してもよい。
【００１２】
（４）上記（３）の構成において、好ましくは、前記第１の取り付け金具には、前記重心調整板の長尺方向に並ぶ一対の突起部が設けられており、前記第２の取り付け金具は、前記一対の突起部の間に支持されている。
【００１３】
（５）上記（１）〜（４）の構成において、好ましくは、前記重心調整板は、前記支持板の裏面に固定されており、前記第１の取り付け金具は、前記支持板及び前記重心調整板を貫通する締結部材によって、固定されている。
【００１４】
（６）上記（１）又は（２）に記載のモップ金具と、ハンドルと、前記モップ金具に着脱可能に装着される袋状のモップ房と、を有することを特徴とする清掃具。
【発明の効果】
【００１５】
上述の（１）の構成によれば、清掃時にモップ金具に加わる荷重分布のバラツキが小さくなるため、袋状のモップ房を外れにくくすることができる。
【００１６】
上述の（３）の構成によれば、ハンドルを回転させることにより、モップ金具を床面に押し付けた状態で少なくとも３６０度回転させることができる。
【図面の簡単な説明】
【００１７】
【図１】モップ金具及び取り付け金具ユニットの斜視図である。
【図２】図１の領域Ａを拡大した、支持板及び重心調整板の一部における拡大平面図である。
【図３】取り付け金具ユニットの正面斜視図である。
【図４】取り付け金具ユニットの側面斜視図である。
【図５】ハンドルの正面斜視図である。
【図６】袋状のモップ房を製造する製造方法の一例を示した工程図である。
【図７】図３に対応しており、１８０度回転後のモップ金具の位置を示している。
【図８】従来の清掃具の一部における斜視図である。
【発明を実施するための形態】
【００１８】
図１は、モップ金具及び取り付け金具ユニットの斜視図であり、Ｘ軸は前フレームが延びる方向（以下、モップ金具幅方向と定義する）を示しており、Ｙ軸はモップ金具方向に直交するモップ金具前後方向を示している。同図を参照して、モップ金具１０は、ループ状に形成された枠体１１と、支持板１２と、重心調整板１３とを含む。枠体１１には、線状に形成された金属を用いることができる。この金属の断面は、円形にすることができる。枠体１１は、前フレーム１１ａ、後フレーム１１ｂ、前フレーム１１ａ及び後フレーム１１ｂを互いに繋ぐ位置に形成される一対の側フレーム１１ｃからなる。
【００１９】
前フレーム１１ａは直線状に形成されており、両端のＲ形状部を介して、一対の側フレーム１１ｃに連設している。後フレーム１１ｂも、同様に両端のＲ形状部を介して、一対の側フレーム１１ｃに連設している。後フレーム１１ｂは、側フレーム１１ｃ側から順に、第１テーパ部１１ｂ１、第１段差部１１ｂ２、第２テーパ部１１ｂ３及び第２段差部１１ｂ４を含んでいる。
【００２０】
第１テーパ部１１ｂ１は、枠体１１の後端側から前端側に向かって、モップ金具幅方向に対して傾斜する方向に延びている。第１段差部１１ｂ２は、モップ金具幅方向に延びており、第１テーパ部１１ｂ１、第２テーパ部１１ｂ３及び第２段差部１１ｂ４よりも長尺に形成されている。第２テーパ部１１ｂ３は、枠体１１の後端側から前端側に向かって、モップ金具幅方向に対して傾斜する方向に延びている。なお、第２テーパ部１１ｂ３は、第１テーパ部１１ｂ１よりも傾斜角度が緩くなるように形成されている。
【００２１】
第２段差部１１ｂ４は、モップ金具幅方向に延びており、この方向における寸法が、支持板１２よりも大きく形成されている。本実施形態では、後フレーム１１ｂを第１段差部１１ｂ２及び第２段差部１１ｂ４からなる二段構造としたが、本発明はこれに限るものではなく、一段、或いは三段以上の構造であってもよい。
【００２２】
側フレーム１１ｃは、モップ金具前後方向に向かって延びており、この方向における寸法が支持板１２よりも大きく形成されている。支持板１２は、平面視矩形に形成されており、枠体１１におけるモップ金具幅方向の略中央に配設されている。支持板１２の前端及び後端はそれぞれ前フレーム１１ａ及び第２段差部１１ｂ４に固定されている。固定方法には、溶接を用いることができる。
【００２３】
重心調整板１３は、モップ金具幅方向に延びており、両端が側フレーム１１ｃに固定されている。固定方法には、溶接を用いることができる。重心調整板１３は、更に、支持板１２の裏面に固定されている。重心調整板１３及び支持板１２の固定方法については、後述する。
【００２４】
重心調整板１３は、支持板１２よりもモップ金具前後方向における寸法が短く設定されている。このため、重心調整板１３と前フレーム１１ａとの間には隙間が形成されている。また、重心調整板１３と後フレーム１１ｂとの間にも隙間が形成されている。
【００２５】
図２は、図１の領域Ａを拡大した、支持板１２及び重心調整板１３の一部における拡大平面図である。ここで、説明の便宜上、支持板１２の前フレーム１１ａ側の端部を支持板前端部１２ａ、支持板１２の後フレーム１１ｂ側の端部を支持板後端部１２ｂ、モップ金具前後方向における支持板１２の中点を通ってモップ金具幅方向に延びる線を支持板中心線Ｐと定義する。
【００２６】
重心調整板１３は、支持板中心線Ｐよりも支持板後端部１２ｂに近接した位置に設けられている。ここで、重心調整板１３の前フレーム１１ａ側の端部を重心調整板前端部１３ａ、重心調整板１３の後フレーム１１ｂ側の端部を重心調整板後端部１３ｂと定義したとき、重心調整板前端部１３ａを支持板中心線Ｐよりも支持板後端部１２ｂに近接した位置に配置するのが好ましい。
【００２７】
重心調整板後端部１３ｂは、支持板後端部１２ｂと面一となる位置に配置されている。言い換えると、重心調整板後端部１３ｂ及び支持板後端部１２ｂは、モップ金具前後方向における位置が同じとなるように配設されている。ただし、重心調整板前端部１３ａが支持板中心線Ｐよりも支持板後端部１２ｂに近接した状態となっていれば、必ずしも、重心調整板後端部１３ｂ及び支持板後端部１２ｂを面一に配置する必要はない。例えば、重心調整板後端部１３ｂが支持板後端部１２ｂよりも支持板中心線Ｐに近接した領域に配置されていてもよい。
【００２８】
次に、図３及び図４を参照しながら取り付け金具ユニットの詳細を説明する。図３は、取り付け金具ユニットの正面斜視図である。図４は、取り付け金具ユニットの側面斜視図である。取り付け金具ユニット２０は、第１の取り付け金具２１、第２の取り付け金具２２及びジョイント管２３を含む。第１の取り付け金具２１は、コの字形状に形成されており、一対の柱部２１ａと、これらの柱部２１ａを繋ぐ位置に配置されるアーチ部２１ｂとを含む。
【００２９】
柱部２１ａは、重心調整板１３の裏面側から締結される締結部材であって、かつ、重心調整板１３及び支持板１２を貫通して、上下方向に延びる締結部材（不図示）によって、支持板１２に固定されている。この締結部材によって、重心調整板１３及び支持板１２も互いに固定される。
【００３０】
締結部材の締結位置は、特に限定しないが、重心調整板前端部１３ａ及び重心調整板後端部１３ｂの中間位置が好ましい。これにより、重心調整板１３の固定構造を堅牢にすることができる。なお、上述の固定構造に加えて、重心調整板１３を後フレーム１１ｂ及び／又は支持板１２に溶接固定してもよい。これにより、重心調整板１３の固定構造をさらに堅牢にすることができる。
【００３１】
アーチ部２１ｂは、両端が屈曲し、両端を除いた部分がモップ金具幅方向に延びた形状となっている。アーチ部２１ｂには上下方向に突出した、一対の突起部２１１ｂが形成されている。一対の突起部２１１ｂは、モップ金具幅方向において、所定の間隔を隔てて対向している。なお、一対の突起部２１１ｂは、必ずしも上下方向に突出している必要はなく、上下方向における一方向にのみ突出した形状であってもよい。
【００３２】
第２の取り付け金具２２は、箱型に形成されており、縦壁部２２ａ、側壁部２２ｂ及び天面部２２ｃを含む。側壁部２２ｂの下端はＲ状に形成されており、厚み方向に貫通する第１の挿通開口部２２ｂ１が形成されている。第１の挿通開口部２２ｂ１の直径は、突起部２１１ｂの上端から下端までの長さよりも僅かに小さく形成されており、アーチ部２１ｂの直径よりも僅かに大きく設定されている。
【００３３】
アーチ部２１ｂのうち一対の突起部２１１ｂに挟まれた領域は、側壁部２２ｂに形成された第１の挿通開口部２２ｂ１に挿通されており、モップ金具幅方向において、一対の突起部２１１ｂと側壁部２２ｂとの間には微小なクリアランスが形成されている。上述の構成において、第２の取り付け金具２２は上述のクリアランスの範囲内で、モップ金具幅方向においてスライド移動することができる。これにより、清掃具として使用する際に、モップ金具１０を操作し易くなる。
【００３４】
また、第２の取り付け金具２２は、第１の取り付け金具２１のアーチ部２１ｂを回転軸として回転動作させることができる。縦壁部２２ａには、厚み方向に貫通する第２の挿通開口部（不図示）が形成されている。
【００３５】
ジョイント管２３の先端部には、平板状に形成された一対の腕部２３ａが形成されており、この一対の腕部２３ａは、第２の取り付け金具２２を挟む位置に配設されている。一対の腕部２３ａには、厚み方向に貫通する図示しない貫通開口部が形成されている。一対の腕部２３及び第２の取り付け金具２２は、上述の貫通開口部及び第２挿通開口部を貫通して突出するボルト２４及びナット２５を用いて連結されている。
【００３６】
上述の構成において、ジョイント管２３は、ボルト２４を回転軸として矢印Ｂ１方向及び矢印Ｂ１の反対方向に回転動作させることができる。ジョイント管２３の外周面には、径方向において対向する一対のジョイント開口部２３ｂが形成されている。なお、図３では、一方のジョイント開口部２３ｂを省略して図示する。
【００３７】
図５は、ジョイント管に着脱可能に装着されるハンドルの正面斜視図であり、ハンドルの内部に収容されている要素を点線により透視して図示する。ハンドル４０の外径は、ジョイント管２３の内径よりも僅かに小さく形成されており、ジョイント管２３の管内にハンドル４０を差し込むことができるようになっている。
【００３８】
ハンドル４０の内部には、略Ｖ字状の片寄せバネ４１が配置されている。片寄せバネ４１の両端部にはそれぞれ突起部４２が固定されており、これらの突起部４２はハンドル４０の壁面に形成された開口部から外側に突出している。片寄せバネ４１は、突起部４２をハンドル４０の径方向外側に向かって押し出す方向にチャージされている。
【００３９】
突起部４２をハンドル４０の径方向内側に向かって押し込むと、Ｖ字角度を縮小する方向に片寄せバネ４１が弾性変形して、ハンドル４０の内部に突起部４２が収められる。一方、突起部４２に対する押し込みを無くすと、片寄せバネ４１のバネ力により、突起部４２がハンドル４０の径方向外側に押し出される。上述の構成によれば、突起部４２をハンドル４０の内部における収納位置とハンドル４０の外部における突出位置との間で進退させることができる。
【００４０】
次に、ハンドル４０の装着方法について説明する。上述の構成において、まず、突起部４２を収納位置に収めた状態で、ハンドル４０をジョイント管２３の管内に向かって差し込む。このとき、突起部４２はジョイント管２３の内面に当接するため、ジョイント管２３の外部に突出することなく、収納位置に留まる。
【００４１】
ハンドル４０を更に差し込み、突起部４２及びジョイント開口部２３ｂの位相が同一となるように、ハンドル４０（ジョイント管２３）を操作して位置合わせすると、片寄せバネ４１のバネ力により、突起部４２がジョイント開口部２３ｂを介してジョイント管４２の径方向外側に突出する。これにより、突起部４２がジョイント開口部２３ｂに係合して、ジョイント管２３及びハンドル４０が互いに連結される。
【００４２】
図６（ａ）〜（ｃ）は、袋状のモップ房を製造する製造方法の一例を示した工程図である。Ｘ１、Ｘ２、Ｙ１及びＹ２は、工程説明を容易にするために便宜的に付した符号である。一点鎖線で示すＱ１は、Ｘ１及びＸ２を通る房の中心線である。
【００４３】
まず、平面視矩形に形成されたシート状の房を中心線Ｑ１（図６（ａ）参照）に沿って矢印方向に折り曲げて二つ折りにする（図６（ｂ）参照）。次に、二つ折りにした房の縁（ただし、Ｘ１及びＸ２に挟まれた縁は除く）を点線Ｑ２に沿って縫い合わせる（図６（ｂ）参照）。これにより、房の中に、Ｘ１、Ｙ１、Ｙ２及びＸ２を繋ぐ線によって仕切られた密閉空間が形成される。
【００４４】
次に、房を紙面法線方向の両側に引張り、前記密閉空間を拡大させるとともに、Ｘ１及びＸ２をそれぞれＹ１及びＹ２に向かって押し込む。これにより、ハッチングで示す領域を内面、ハッチングで示さない領域を外面とする袋状のモップ房５０が形成される。言い換えると、図６（ｃ）の下端側に装着スリット５１が形成された袋状のモップ房５０が形成される。
【００４５】
次に、清掃具の使用方法について説明する。まず、モップ金具１０に袋状のモップ房５０を装着する。具体的には、枠体１１の前フレーム１１ａを装着スリット５１を介して袋状のモップ房５０の内側に滑り込ませ、モップ金具１０に装着する。ここで、モップ金具１０の幅が長すぎると袋状のモップ房５０を装着しにくくなる。その一方で、モップ金具１０の幅が短すぎると装着した袋状のモップ房５０が取れ易くなる。したがって、これらのバランスを考慮しながら、袋状のモップ房５０のサイズを設定するのが好ましい。
【００４６】
ハンドル４０を把持してモップ金具１０を前方に押し出すことにより、床面を掃除することができる。なお、本実施形態の清掃具は、モップ金具１０を前方に押し出す使用方法を想定したものであり、前後方向に繰り返し往復移動させる使用方法を想定したものではない。
【００４７】
ここで、コーナ、床下などの掃除しにくい箇所を清掃する場合、ハンドル４０を回して、モップ金具１０を３６０度以上回転させるような使用方法（以下、回転使用という）が想定される。
【００４８】
従来の清掃具は、回転使用した際に、袋状のモップ房５０が取れ易い構造となっていたが、本実施形態の清掃具によれば、モップ金具１０の後フレーム１１ｂに近接した位置に重心調整板１３が設けられることによって、モップ金具１０から袋状のモップ房５０に加わる荷重分布のバラツキが小さくなるため、モップ金具１０から袋状のモップ房５０を取れ難くすることができる。
【００４９】
ここで、図３に図示する状態からハンドル４０を矢印Ａ１方向に９０度回転させると、ジョイント管２３はボルト２４を回転軸として矢印Ｂ１方向に回転し、第２の取り付け金具２２はアーチ部２１ｂを回転軸として矢印Ｃ１方向に回転する。その結果、モップ金具１０は、図１に示す状態に変化する。ハンドル４０を矢印Ａ１方向に更に９０度回転させると、ジョイント管２３はボルト２４を回転軸として矢印Ｂ１の反対方向に回転し、第２の取り付け金具２２はアーチ部２１を回転軸として矢印Ｃ１方向に回転する。その結果、モップ金具１０は、図７に示す状態に変化する。
【００５０】
図７に示す状態からハンドル４０を矢印Ａ方向に９０度回転させると、ジョイント管２３は矢印Ｂ２方向に回転し、第２の取り付け金具２２はアーチ部２１ｂを回転軸として矢印Ｃ２方向に回転する。ハンドル４０を矢印Ａ２方向に更に９０度回転させると、ジョイント管２３はボルト２４を回転軸として矢印Ｂ２の反対方向に回転し、第２の取り付け金具２２はアーチ部２１を回転軸として矢印Ｃ２方向に回転する。その結果、モップ金具１０の位置関係は、図４に示す状態に戻る。
【００５１】
上述のように、第２の取り付け金具２２及びジョイント管２３が回転することによって、モップ金具１０を床面に押し付けた状態で３６０度回転させることができる。これにより、コーナ、床下などの掃除しにくい箇所を効率的に清掃することができる。
【００５２】
（変形例１）
上述の実施形態では、ジョイント管２３及びハンドル４０を着脱可能に構成したが、本発明はこれに限るものではなく、これらを一体的に構成することもできる。
【符号の説明】
【００５３】
１０  モップ金具
１１  枠体
１１ａ  前フレーム
１１ｂ  後フレーム
１１ｃ  側フレーム
１２  支持板
１２ａ  支持板前端部
１２ｂ  支持板後端部
１３  重心調整板
１３ａ  重心調整板前端部
１３ｂ  重心調整板後端部
２０  取り付け金具ユニット
２１  第１の取り付け金具
２１ａ  柱部
２１ｂ  アーチ部
２２  第２の取り付け金具
２２ａ  縦壁部
２２ｂ  側壁部
２２ｂ１  第１の挿通開口部
２２ｃ  天面部
２３  ジョイント管
２３ａ  腕部
２３ｂ  ジョイント開口部
２４  ボルト
２５  ナット
４０  ハンドル
４１  片寄せバネ
４２  突起部
【図１】
2018183502.tif 000003
【図２】
2018183502.tif 000004
【図３】
2018183502.tif 000005
【図４】
2018183502.tif 000006
【図５】
2018183502.tif 000007
【図６】
2018183502.tif 000008
【図７】
2018183502.tif 000009
【図８】
2018183502.tif 000010